(57)【要約】【課題】ガイド筒等の筒部材を軽くて丈夫で変形しづらいものとすること。【解決手段】スリット状のガイド溝３，４を有するガイド筒１０の外側表面に突出部分５が網目状となる網目状表面部６を設ける。ガイド筒１０ではなく、カム筒に網目状表面部を設けるようにしても良い。これによって真円度、溝幅の均一性が向上し、筒部材の成型時の不良品発生率を減少させ、合わせてコンパクトでかつ軽量な筒部材とすることができる。このガイド筒１０をレンズ鏡筒に組み込むと、スムーズな回動をするレンズ鏡筒が得られる。また、このレンズ鏡筒をプロジェクタに組み込んでも良い。【選択図】　　図１
2004004269.tif 000002
【特許請求の範囲】
【請求項１】
レンズを保持する枠体の周囲に係合手段を有するレンズ枠が挿嵌可能とされ、挿嵌される上記レンズ枠の上記係合手段に作用し、上記レンズ枠を光軸方向に直進移動するようにガイドするスリット状のガイド溝を有するガイド筒において、
その外側表面に、突出部分が網目状となる網目状表面部を設けたことを特徴とするガイド筒。
【請求項２】
前記網目状表面部は、その突出部分で囲まれた各構成部分を三角形、四角形、五角形または六角形のいずれか１つとすることを特徴とする請求項１記載のガイド筒。
【請求項３】
レンズを保持する枠体とこの枠体の周囲に備えられる係合手段を有するレンズ枠と、
上記レンズ枠が挿嵌され、この挿嵌されたレンズ枠の上記係合手段に作用し、上記レンズ枠を光軸方向に直進移動するようにガイドするスリット状のガイド溝を有するガイド筒と、
上記ガイド筒が挿嵌され上記係合手段に作用し上記レンズ枠を光軸方向の所定の位置に移動させるカム手段を有するカム筒と、
を有するレンズ鏡筒において、
上記ガイド筒および上記カム筒の少なくとも一方の筒部材の外側表面に、突出部分が網目状となる網目状表面部を設けたことを特徴とするレンズ鏡筒。
【請求項４】
前記網目状表面部は、その突出部分で囲まれた各構成部分を周方向対角線が軸方向対角線に比べ長くされた菱形としたことを特徴とする請求項３記載のレンズ鏡筒。
【請求項５】
前記網目状表面部を構成する突出部分の根元を上端に比べ太くしたことを特徴とする請求項３または４記載のレンズ鏡筒。
【請求項６】
前記網目状表面部が設けられた前記筒部材の前記ガイド溝または前記カム手段に設けられる孔または凹部の周辺に、前記突出部分とは形状が異なる突起状のリブを設けたことを特徴とする請求項３、４または５記載のレンズ鏡筒。
【請求項７】
前記レンズ鏡筒がプロジェクタ用のレンズ鏡筒であることを特徴とする請求項３から６のいずれか１項記載のレンズ鏡筒。
【請求項８】
レンズを保持する枠体とこの枠体の周囲に備えられる係合手段を有するレンズ枠と、
上記レンズ枠が挿嵌され、この挿嵌されたレンズ枠の上記係合手段に作用し、上記レンズ枠を光軸方向に直進移動するようにガイドするスリット状のガイド溝を有するガイド筒と、
上記ガイド筒が挿嵌され上記係合手段に作用し上記レンズ枠を光軸方向の所定の位置に移動させるカム手段を有するカム筒と、
を有するレンズ鏡筒を備えるプロジェクタにおいて、
上記ガイド筒およびカム筒の少なくとも一方の筒部材の外側表面に、突出部分が網目状となる網目状表面部を設けたことを特徴とするプロジェクタ。
【請求項９】
前記網目状表面部が設けられた前記筒部材の前記ガイド溝または前記カム手段に設けられる孔もしくは凹部の周囲または前記外側表面のいずれかの部分に、前記突出部分とは形成方向または形状が異なるリブを設けたことを特徴とする請求項８記載のプロジェクタ。
【発明の詳細な説明】
【０００１】
【発明の属する技術分野】
本発明は、カメラやプロジェクタ等の光学装置に使用されるガイド筒およびレンズ鏡筒ならびに当該レンズ鏡筒を備えるプロジェクタに関する。
【０００２】
【従来の技術】
カメラやプロジェクタ等の光学装置の光学系部分には、レンズの前後動を案内し支持するガイド筒や、そのガイド筒を構成要素とするレンズ鏡筒が採用されている。このような従来のレンズ鏡筒は、レンズ枠をガイドするガイド筒と、このガイド筒を挿嵌し、ガイド筒に対して光軸を一致させた状態で光軸周りに回動可能に保持されるカム筒とを有している。そして、ガイド筒の内側には、ガイド筒とカム筒に係合しカム筒の回動に対応して光軸に沿って所定の移動を行うレンズ枠が保持されている。
【０００３】
ガイド筒には、光軸と平行な方向にガイド溝が形成され、またカム筒にはガイド溝に所定の角度で交差するカム溝が形成されている。ガイド溝とカム溝の交差部の光軸方向の位置は、カム筒の回動により変位する。また交差部のカム筒の回動量に対する変位量は、ガイド溝とカム溝の交差角度の大小に依存し、この角度が大きい場合は交差部の変位量が大きくなり、逆に角度が小さい場合は変位量は小さくなる。
【０００４】
レンズ枠は、環状体を成し、その中央にレンズを有している。このレンズ枠の外周縁部は、ガイド筒の内周面に内接するように形成されている。またレンズ枠の外周縁部には、直径方向に突出するカムピンが取り付けられている。レンズ枠のカムピンは、ガイド溝とカム溝に挿入され、それらと係合する構造となっている。すなわち、カムピンは、交差部でガイド溝とカム溝に係合していて、カム筒がガイド筒の周りで回動されると、交差部の光軸方向への変位に追従してレンズ枠もガイド筒内を光軸方向に移動することになる。つまり、レンズ鏡筒中のレンズ枠の所望の移動に対応させてカム溝を形成することで、カム筒を回転させればレンズを保持したレンズ枠を所望の距離分だけ光軸方向に移動させることができる。
【０００５】
図８に、従来のレンズ鏡筒の具体的な構造の例を示す。図８は、カメラに用いられている公知のレンズ鏡筒の構造を表している分解斜視図である。このレンズ鏡筒１００は、２つのレンズ枠２０，３０と、ガイド筒４０と、フォーカシング鏡筒保持筒４２と、カム筒５０とフォーカシング鏡筒６０とで構成されている。
【０００６】
レンズ枠２０，３０は、それぞれ略環体を呈していて環体の内周側にそれぞれレンズが保持され、これらのレンズが光軸Ｏに沿って前後に移動することで所望の結象を得ることに寄与する。
【０００７】
レンズ枠２０の外周縁部には、係合手段としてのカムピン２１が光軸Ｏ周りに１２０度の等間隔で計３箇所に取り付けられている。カムピン３１もカムピン２１と同様に、レンズ枠３０の外周縁部に１２０度の等間隔でそれぞれ計３箇所に取り付けられている。
【０００８】
ガイド筒４０には、前端縁部から後方に向けて光軸Ｏの方向に沿って切り込まれる直線状のスリットとなる孔溝状のガイド溝４３が光軸Ｏに対してその周囲に１２０度の等間隔で３本形成されている。このガイド溝４３は、レンズ枠２０，３０をガイド筒４０内に挿嵌したときに、レンズ枠２０，３０に取付けられているカムピン２１，３１のそれぞれに左右両側から係合して、レンズ枠２０，３０を光軸Ｏの周りに回転することを阻止しながら、このガイド溝４３により光軸Ｏに沿って前後方向に移動可能にガイドするようになっている。
【０００９】
なお、ガイド筒４０の内径とレンズ枠２０，３０の外径は、レンズ枠２０，３０がガイド筒本体４１内を光軸Ｏと直交する方向にガタつくこと無くスムーズに前後方向に移動できるように、ガイド筒４０の内径をレンズ枠２０，３０の外径より大きく設定している。しかし、この差が大きいとコンパクトなレンズ鏡筒１００は得られない。
【００１０】
また、ガイド溝４３の溝幅とカムピン２１，３１の外径との関係も、同様にレンズ枠２０，３０ががたつくこと無くガイド筒４０内を前後に移動できるようにガイド溝４３の溝幅をカムピン２１，３１の外径より大きく設定している。しかしこの差が大きいと、レンズ枠２０，３０のスムーズな移動が得られない。
【００１１】
以上のように、ガイド筒４０には、各レンズ枠２０，３０がカムピン２１，３１をガイド溝４３によってガイドされながら前後に移動できるようにガイド筒４０内に挿嵌されている。
【００１２】
カム筒５０には、ガイド溝４３を通り抜けたカムピン２１，３１が挿通されるカム溝５１，５２が設けられている。このカム筒５０を回転させることで、カムピン２１，３１がガイド溝４３に沿って、すなわち光軸Ｏに沿って前後動することで、レンズが光軸Ｏに沿って前後に移動することとなる。
【００１３】
図８のガイド筒本体４１およびカム筒５０の外側表面は平滑である。平滑の外側表面とするのは、成型用金型の製造が容易だからである。このようにレンズ鏡筒１００の筒部材の外側表面は平滑とされている。
【００１４】
【発明が解決しようとする課題】
レンズ鏡筒１００のようなレンズ鏡筒は、よりコンパクト化、軽量化およびスムーズな回動が求められている。しかし、レンズ鏡筒１００をコンパクトにするには、レンズ枠２０，３０とガイド筒４０の間隙やガイド筒４０とカム筒５０の間隙を狭くしなくてはならない。このためには、各筒部材４０，５０がより真円に近くなくてはならない。また、レンズ鏡筒１００中のカム筒５０をスムーズに回動させるためには、レンズ枠２０，３０に取り付けたカムピン２１，３１の外径と、ガイド筒４０のガイド溝４３、カム筒５０のカム溝５１，５２の内径との差を狭くし、ガタを抑える必要がある。さらには、ガイド溝４３およびカム溝５１，５２の溝幅が均一である必要がある。
【００１５】
一般的に、レンズ枠２０，３０およびガイド筒４０ならびにカム筒５０は、軽量化や生産性を考慮して、熱可塑性樹脂を用いて成型している。なお、液晶プロジェクタのように高熱を発する装置では、カム筒部分等を樹脂ではなく、金属部材で構成する場合もある。樹脂成型の場合、部分的に成型時のやせができ、樹脂、成型条件のわずかな差で真円度の高い筒部材を成型することはかなり困難となっている。特に、ガイド筒４０のようにスリットを有する筒部材は、真円度の高い筒部材を成型することが困難であり、さらには均一な幅を有する溝を成型することも困難である。また、図８に示すようなカム筒５０のようなカム筒は、カム溝５１，５２が一般的に光軸周りに斜め方向に切られており、均一な幅を有するカム溝５１，５２を成型することがより困難となっている。
【００１６】
また、特に、液晶プロジェクタのようなプロジェクタは、使用中に熱を帯びるため、膨張収縮があり、熱変形の恐れから、レンズ鏡筒の各筒間の間隙およびカムピンとガイド溝やカム溝との間隙を狭めることはより困難となっている。
【００１７】
この問題を解決するために、従来は、レンズ枠２０，３０とガイド筒４０の間隙やガイド筒４０とカム筒５０との間隙、さらにカムピン２１，３１とガイド溝４３やカム溝５１，５２との間隙にゆとりを持たせている。これらの間隙を狭く設計した場合は、不良品率が上がり、多くの不良品が発生してしまうためである。また、対策の一つとして、各部材の厚さを厚くし、変形防止を図ることも行われている。
【００１８】
しかし、各間隙にゆとりを持たせることは、レンズ鏡筒の大型化やガタの増加につながり好ましくない。また、不良品の増加は、コストの上昇や生産効率の悪化につながる。また、各部材の肉厚を大きくすることは、重量の増加となり、コンパクト化や軽量化に反するものとなってしまう。
【００１９】
本発明は、上述の問題点を解決するためになされたものであり、軽くて丈夫で変形しづらく、しかも真円度や溝幅の均一性を向上させ得るガイド筒を提供することを目的とする。また、他の発明は、軽くて丈夫で変形しづらく、しかも真円度や溝幅の均一性を向上させることができる筒部材を有するレンズ鏡筒を提供することを目的としている。さらに、他の発明は、軽くて丈夫で熱に対しても変形しづらいレンズ鏡筒を有するプロジェクタを提供することを目的とする。
【００２０】
【課題を解決するための手段】
本発明のガイド筒は、レンズを保持する枠体の周囲に係合手段を有するレンズ枠が挿嵌可能とされ、挿嵌されるレンズ枠の係合手段に作用し、レンズ枠を光軸方向に直進移動するようにガイドするスリット状のガイド溝を有するガイド筒において、その外側表面に、突出部分が網目状となる網目状表面部を設けたものとしている。
【００２１】
これにより、ガイド筒を軽くて丈夫で変形しづらいものとすることができると共に真円度やガイド溝の溝幅の均一性を向上させることができる。
【００２２】
具体的には、レンズ枠とガイド筒、ガイド筒とこのガイド筒が挿嵌されるカム筒との間隙、およびレンズ枠に設けられるカムピンとガイド溝との間隙を狭くすることができ、これによりガタが少なく、よりコンパクトなレンズ鏡筒を設計することができる。また、ガイド溝の幅がより均一になり、レンズ枠のよりスムーズな移動が得られる。さらには、ガイド筒の成型時の不良品率が減少し、コストダウンに寄与することができる。さらには、成型品の強度が増すことで、同等の強度を有するガイド筒であれば、従来の外側表面が平滑なガイド筒に比して、樹脂量を２０〜４０％減少させることができる。なお、後述する実施の形態では、従来品以上の強度を保持しつつ樹脂量を１０〜２０％減少させている。
【００２３】
また、網目状表面部は、その突出部分で囲まれた各構成部分が三角形、四角形、五角形または六角形のいずれか１つとするのが好ましい。
【００２４】
網目状表面部を構成する各構成部分を三角形、四角形、五角形または六角形のいずれか１つとすると、各構成部分を連続形成しやすくなると共に、外側表面が成型時の収縮に強いものとなる。
【００２５】
本発明のレンズ鏡筒は、レンズを保持する枠体とこの枠体の周囲に備えられる係合手段を有するレンズ枠と、レンズ枠が挿嵌されこの挿嵌されたレンズ枠の係合手段に作用し、レンズ枠を光軸方向に直進移動するようにガイドするスリット状のガイド溝を有するガイド筒と、ガイド筒が挿嵌され係合手段に作用しレンズ枠を光軸方向の所定の位置に移動させるカム手段を有するカム筒とを有するレンズ鏡筒において、ガイド筒およびカム筒の少なくとも一方の筒部材の外側表面に、突出部分が網目状となる網目状表面部を設けたものとしている。
【００２６】
この構成によると、レンズ鏡筒を構成する各筒部材の少なくとも一方の外側表面に網目状表面部を設けることにより、筒部材を軽くて丈夫で変形しづらいものとすることができる。また、筒部材の成型精度が上がり、筒部材の真円度が向上し、また筒部材に切り込まれた孔や凹部の溝幅がより均一になる。
【００２７】
これにより、レンズ枠とガイド筒との間隙、ガイド筒とカム筒との間隙、およびカムピンとガイド溝やカム溝との間隙を狭くすることができる。この結果、コンパクトなレンズ鏡筒を設計することができる。また、ガイド溝、カム溝のいずれか一方または両者の幅がより均一となり、レンズ枠のよりスムーズな移動が得られる。さらには、筒部材の成型時の不良品率が減少し、コストダウンに寄与することができる。
【００２８】
さらには、軽さの面で言えば、同等の強度を有する筒部材であれば、従来の外側表面が平滑な筒部材に比して、樹脂量を２０〜４０％減少させることができる。なお、後述する実施の形態では、従来品以上の強度を保持しつつ樹脂量を１０〜２０％減少させている。
【００２９】
また、他の発明のレンズ鏡筒は、上述の発明のレンズ鏡筒に加え、網目状表面部は、その突出部分で囲まれた各構成部分を周方向対角線が軸方向対角線に比べ長くされた菱形としている。
【００３０】
この構成では、周方向についての強度が向上すると共に周方向についての変形が少ないものとなる。これにより真円度が向上し、孔や凹部の幅が均一となり、コンパクトかつガタの少ないレンズ鏡筒を製造することができ、筒部材の成型時の不良品率が減少する。また、この構造では、軸方向に関しても強度の向上、変形防止が達成される。
【００３１】
また、網目状表面部を構成する突出部分の根元を上端に比べ太くするのが好ましい。この構成では、突出部分の上端部が大きな角度を持つこととなり、欠けに強くなると共に根元部が広くなるので、強度アップや変形防止の面で有利となる。
【００３２】
また、網目状表面部が設けられた筒部材のガイド溝またはカム手段に設けられる孔または凹部の周辺に、突出部分とは形状が異なる突起状のリブを設けるのが好ましい。この構成とすると、ガイド溝のようなスリットとなる孔や筒部材に設けられる凹部については、その孔や凹部の形状に合った強化構造を採用することができ、全体としてもより強度が向上し、変形の少ないレンズ鏡筒を得ることができる。
【００３３】
また、他の発明は、上述の各発明のレンズ鏡筒に加え、レンズ鏡筒がプロジェクタ用のレンズ鏡筒としている。プロジェクタ用のレンズ鏡筒は、プロジェクタからの発熱への対応、すなわち耐熱性が強く要求される。この発明のレンズ鏡筒では、筒部材の強度が向上し、変形に対しても強いため、プロジェクタ用に使用すると、よりその効果が強いものとなる。
【００３４】
また、本発明のプロジェクタは、レンズを保持する枠体とこの枠体の周囲に備えられる係合手段を有するレンズ枠と、レンズ枠が挿嵌され、この挿嵌されたレンズ枠の係合手段に作用し、レンズ枠を光軸方向に直進移動するようにガイドするスリット状のガイド溝を有するガイド筒と、ガイド筒が挿嵌され係合手段に作用しレンズ枠を光軸方向の所定の位置に移動させるカム手段を有するカム筒とを有するレンズ鏡筒を備えるプロジェクタにおいて、ガイド筒およびカム筒の少なくとも一方の筒部材の外側表面に、突出部分が網目状となる網目状表面部を設けている。
【００３５】
この構成によると、レンズ鏡筒を構成する各筒部材の少なくとも一方の外側表面に網目状表面部を設けることにより、筒部材を軽くて丈夫で変形しづらいものとすることができる。また、筒部材の成型精度が上がり、筒部材の真円度が向上し、また筒部材に切り込まれた孔や凹部の溝幅がより均一になる。これにより、レンズ枠とガイド筒との間隙、ガイド筒とカム筒との間隙、およびカムピンとガイド溝やカム溝との間隙を狭くすることができる。この結果、コンパクトなレンズ鏡筒を設計することができる。また、ガイド溝、カム溝のいずれか一方または両者の幅がより均一となり、レンズ枠のよりスムーズな移動が得られる。さらには、筒部材の成型時の不良品率が減少し、コストダウンに寄与することができる。
【００３６】
さらには、軽さの面で言えば、同等の強度を有する筒部材であれば、従来の外側表面が平滑な筒部材に比して、樹脂量を２０〜４０％減少させることができる。なお、後述する実施の形態では、従来品以上の強度を保持しつつ樹脂量を１０〜２０％減少させている。
【００３７】
以上のような効果を有するレンズ鏡筒を備えているので、本発明のプロジェクタは、小型で精度が良く、しかも長期間安定した品質を維持できるものとなる。
【００３８】
また、他の発明のプロジェクタは、上述の発明のプロジェクタに加え、網目状表面部が設けられた筒部材のガイド溝またはカム手段に設けられる孔または凹部の周囲または外側表面のいずれかの部分に、突出部分とは形成方向または形状が異なるリブを設けている。これにより、筒部材の成型安定性および強度がさらに一層向上する。
【００３９】
【発明の実施の形態】
以下、図面を参照して、本発明の各実施の形態について説明する。なお、各実施の形態で示すガイド筒１０やレンズ鏡筒は、プロジェクタ用となっているが、フィルム用のカメラやデジタルカメラ、ビデオカメラなどの各種カメラ、顕微鏡、望遠鏡等種々の光学装置に適用することができる。
【００４０】
また、筒部材の例としてガイド筒１０を例に説明するが、後述する網目状表面部の設置は、カム筒などの他の筒部材にも適用することができる。また、この実施の形態では、カム筒やレンズ枠等のレンズ鏡筒を構成する部材であってガイド筒１０以外の部材については、説明を省略または簡略化する。これは、これらの構成は、図８に示す従来のレンズ鏡筒１００中のレンズ枠２０，３０やカム筒６０と略同様な構成となっているためである。
【００４１】
最初に、図１から図３に基づいて、第１の実施の形態のガイド筒１０について説明する。図１は、本発明の第１の実施の形態に係るガイド筒１０の斜視図である。図２は、ガイド筒１０の筒部分の外側から見た展開図である。図１および図２に示すように、熱可塑性樹脂からなるガイド筒１０は、円筒部１と四角状のフランジ部２とを有している。円筒部１には、このガイド筒１０の前端縁部から後方に向けて光軸Ｏの方向に沿って切り込まれる直線状のスリットとなる孔状の２つのガイド溝３，４が、光軸Ｏに対してその周囲に１２０度の等間隔で各３本形成されている。ガイド溝３は、ガイド溝４の約２倍の長さとされ、両者はわずかな間隔をあけて一直線状に配置されている。
【００４２】
円筒部１の外側表面には、突出部分５が菱形形状や三角形状を連続的に形成することで全体として網目状となる網目状表面部６が各ガイド溝３，４の周方向の間に設けられている。各菱形は、周方向に連続的に形成されている。また、各菱形の形状は、周方向の対角線が軸方向の対角線に比べ長くされている。このため、軸方向に比べ周方向の圧縮、膨張に対して強いものとなり、真円度の向上、ガイド溝３，４の幅の均一性にとって好ましいものとなっている。
【００４３】
各網目状表面部６の周囲およびその中央を区切るように、「田」の字形の突起状のリブ７が形成されている。図１および図２に示すように、この突起状のリブ７で囲まれた部分が網目状の模様を形成している。
【００４４】
この明細書では、この突起状のリブ７および「田」の字形の内部に配置され網目状の模様を形成している突出部分５の両者を合わせて網目状表面部６とする。
【００４５】
また、ガイド溝３，４は、リブ状突出部９でその周囲が囲まれている。このリブ状突出部９は、リブ７より低いが、突出部分５で囲まれている凹んだ凹み部分８の底面より高くされている。このガイド溝３，４には、従来のレンズ枠２０，３０に設けられているカムピン２１，３１と同様なカムピンが貫通した状態で係合する。
【００４６】
円筒部１の図１で左方には、雄ねじとなるねじ部１１が周方向に３箇所設けられている。このねじ部１１には、レンズを左端部に有し、その右端側の内部に雌ねじが切られた筒状のねじ係合型レンズ保持体（図示省略）が係合する。３つのねじ部１１のうち、図２で右方に示されるねじ部１１には、右上がりの３条のねじ１１ａ，１１ｂ，１１ｃが設けられ、中央のねじ部１１には、同様に右上がりの３条のねじ１１ｄ，１１ｅ，１１ｆが設けられ、左方のねじ部１１には同様に右上がりの２条のねじ１１ｇ，１１ｈが設けられている。
【００４７】
ここで、ねじ１１ｃは、間隔を介してねじ１１ｈにつながり、ねじ１１ｈが間隔を介してねじ１１ｅにつながる。そして、ねじ１１ｅが間隔を介してねじ１１ａにつながる。また、ねじ１１ｆは、間隔を介してねじ１１ｂにつながり、ねじ１１ｂは間隔を介してねじ１１ｇにつながり、ねじ１１ｇは間隔を介してねじ１１ｄにつながる。なお、ねじ１１ｄとねじ１１ｃは、他のねじに比べその長さが半分程度とされている。
【００４８】
円筒部１のねじ部１１と網目状表面部６との間には、形状がそれぞれ異なる回転阻止部１２が計３個設けられている。
【００４９】
フランジ部２には、図１で右方からレンズを有する筒状の嵌め込み型レンズ保持体（図示省略）が嵌め込まれ、ねじでフランジ部２に固定される。このフランジ部２は、図示しないプロジェクタのシャーシ等の固定部に取り付けられる部分である。
【００５０】
このガイド筒１０は、図３に示すように、その光軸Ｏからの距離で比較すると凹部分８が最も短く（逆に言えば最も深い凹部）、フランジ部２側の平面部１３が凹み部分８より若干長く（高く）、突出部分５の上端部は平面部１３よりさらに長く（高く）なっている。また、ガイド溝３，４の周辺のリブ状突出部９が突出部分５よりさらに長く（高く）なっており、軸方向に伸びるリブ７ａがさらに長く（高く）なっており、周方向に延びるリブ７ｂがリブ７ａに比べさらに長く（高く）なっている。なお、突出部分５の上端平面部の高さが、従来の平滑平面の際の高さと同一となる。
【００５１】
フランジ部２側のリブ７ｂよりさらにフランジ部２側に配置され、周方向に１回転している周方向リブ１４は、各リブ７ｂよりさらに高くされている。その周方向リブ１４から軸方向かつフランジ部２側に伸びる軸方向リブ１５は、フランジ部２側に行くに従い、その高さが高くなる傾斜状のリブとなっている。
【００５２】
以上のように構成されるガイド筒１０は、その中央に配置される中央金型と、その中央金型を囲むように配置される３つの外側金型とを利用して成型される。３つの外側金型のそれぞれの成型部分は、図２のＫ１，Ｋ２，Ｋ３で示される範囲となる。すなわち、各範囲Ｋ１，Ｋ２，Ｋ３は、それぞれ周方向に１２０度に渡る範囲をカバーしている。そして、たとえば、Ｋ２で示される外側金型は、図３の矢示Ｗの方向に抜かれる。他の外側金型は、この矢示Ｗに対して左右それぞれ１２０度周方向に回転した方向に抜かれる。
【００５３】
このように、中央金型と３つの外側金型で形成される隙間に熱可塑性樹脂を注入した後、３つの外側金型を１２０度間隔をもって外側方向に抜く（外す）ことでガイド筒１０を形成することができる。このとき、突出部分５の形状は、図３に示すように、ガイド溝３，４に近い中心側５ａが約９０度の角度となるようにされている。一方、ガイド溝３，４から遠い外方側５ｂはその根元が幅広でその上端が幅狭となるような傾斜面とされている。この外方側５ｂは、矢示Ｗ方向と同方向（平行な方向）に向くように形成される。このように構成することで、外側金型をスムーズに外す（抜く）ことができる。
【００５４】
このように、突出部分５の根元を上端に比べ太くすると、突出部分５の上方部分に欠けが生じにくくなると共に、強度アップやガイド筒１０の変形防止の面で有利となる。また、図３に示す形状とすると、上述したように、外側金型の抜けが良くなり、生産性が向上する。また、このガイド筒１０は、従来のガイド筒に比べ強度が向上すると共に、重量的には約１０〜２０％減少している。これは、凹み部分８が多数形成されているためである。なお、強度を従来と同様にすると、約２０〜４０％の重量減を達成できる。
【００５５】
次に、本発明の第２の実施の形態に係るガイド筒１０Ａを図４および図５に基づいて説明する。なお、第１の実施の形態のガイド筒１０と同一の構成部材、構成部については、同一符号を付し、その説明を省略または簡略化する。
【００５６】
図４は、第２の実施の形態に係るガイド筒１０Ａの外側表面の展開図である。図５は、ガイド筒１０Ａの光軸Ｏに直角方向に切った断面図であり、図４のＢ−Ｂの一点鎖線で示す部分の部分断面図である。この図５は、ガイド溝３Ａを中心にリブ７ａとリブ７ａの間を表し、１つの外側金型で形成される範囲を示している。
【００５７】
この実施の形態では、３本のガイド溝３Ａ，３Ｂ，３Ｃがその軸方向で２つに分かれておらず、それぞれ１本の連通した溝となっている。また、ガイド溝３Ａ，３Ｂ，３Ｃの間の中間位置に、ガイド溝３Ａ、３Ｂ，３Ｃに対して平行となるようにリブ７ａ，７ａ，７ａを設けている。さらに、各リブ７ａに対して垂直となるようにリブ７ｂを設けている。そして全体として「王」状のリブ形状を形成している。
【００５８】
次に、本発明の第３の実施の形態に係るガイド筒１０Ｂを図６に示す。このガイド筒１０Ｂは、ガイド溝３，４が同じ形状（大きさ）とされている。また、このガイド筒１０Ｂは、リブ７ａ，７ｂがガイド筒１０における突出部分５の役割を兼ねるものとなっている。また、このガイド筒１０Ｂは、重量的には約３０％の軽減が達成されている。
【００５９】
このガイド筒１０Ｂは、ガイド溝３，４の大きさが同じであるため、カム筒に形成されるカム溝が同じとされるものに適用されると好ましい。カム溝をたとえば斜め方向に着られた直線状の同一のカム溝とすると、必要とされるガイド溝は、このガイド溝３，４のように同じ大きさとなる。カム溝が単純形状のときは、カム筒を金属製にしてもその製作は容易となる。よって、このガイド筒１０Ｂは、金属製のカム筒と組み合わせて使用するのが好ましい。
【００６０】
最後に、本発明の第４の実施の形態に係るガイド筒１０Ｃを図７に示す。このガイド筒１０Ｃは、その外側表面に形成される網目状表面部６を六角形の突出部分５をつなぎ合わせた形状とした例である。
【００６１】
上述の各実施の形態は、本発明の好適な実施の例を示すものであるが、本発明の要旨を逸脱しない範囲で種々変更実施可能である。たとえば、上述の実施の形態では、ガイド筒１０，１０Ａ，１０Ｂ，１０Ｃに網目状表面部６を設けているが、ガイド筒の回りに配置されるカム筒に網目状表面部６を設けるようにしても良い。
【００６２】
レンズ鏡筒としては、ガイド筒とカム筒の少なくともいずれか一方に網目状表面部６を設けることで、従来に比べ軽くて丈夫で変形しづらい筒部材を有することとなり、真円度が向上し、溝幅が均一となり、性能がアップしたレンズ鏡筒とすることができる。また、レンズ鏡筒の歩留まり率も向上する。
【００６３】
また、ガイド筒やカム筒の少なくとも一方に網目状表面部６を有するレンズ鏡筒をプロジェクタのレンズ鏡筒としてプロジェクタに配置することができる。この構成のプロジェクタは、小型で精度が良く、しかも長期間安定した品質を維持できるものとなる。
【００６４】
また、上述の第１の実施の形態では、網目状の模様として菱形と三角形を組み合わせたものとしているが、菱形のみとしたり、三角形のみとしたりしても良い。また、五角形状としたり、七角以上の多角形としても良い。また、網目状表面部６を設ける筒部材の材質としては、熱可塑性樹脂が好ましいが、他の樹脂としたり、時には金属材料としても良い。
【００６５】
【発明の効果】
本発明では、軽くて丈夫で変形しづらく、しかも真円度や溝幅の均一性が向上したガイド筒を得ることができる。また、他の発明では、軽くて丈夫で変形しづらく、しかも真円度や溝幅の均一性が向上した筒部材を有するレンズ鏡筒を得ることができる。
【００６６】
さらに、本発明のプロジェクタは、軽くて丈夫で熱に対しても変形しづらいレンズ鏡筒を有することで、小型で精度が良く、しかも長期間安定した品質を維持できるものとなる。
【図面の簡単な説明】
【図１】本発明の第１の実施の形態に係るガイド筒を示す斜視図である。
【図２】図１のガイド筒の外側表面から見た展開図である。
【図３】図１のガイド筒の光軸に直角方向の断面図であり、図２のＡ−Ａ線で切断した部分断面図である。
【図４】本発明の第２の実施の形態に係るガイド筒の外側表面から見た展開図である。
【図５】図４のＢ−Ｂ線で切断した部分断面図である。
【図６】本発明の第３の実施の形態に係るガイド筒の外側表面から見た展開図である。
【図７】本発明の第４の実施の形態に係るガイド筒の外側表面から見た展開図である。
【図８】従来のレンズ鏡筒（ガイド筒を含む）の分解斜視図である。
【符号の説明】
１　円筒部
２　フランジ部
３　ガイド溝
４　ガイド溝
５　突出部分
６　網目状表面部
７　突起状のリブ
８　凹み部分
９　リブ状突出部
１０　ガイド筒
Ｏ　光軸
Ｋ１，Ｋ２，Ｋ３　３つの外側金型で成型される各範囲
【図１】
2004004269.tif 000003
【図２】
2004004269.tif 000004
【図３】
2004004269.tif 000005
【図４】
2004004269.tif 000006
【図５】
2004004269.tif 000007
【図６】
2004004269.tif 000008
【図７】
2004004269.tif 000009
【図８】
2004004269.tif 000010